(57)【要約】【課題】同じ上床を用いながら、壁際などにも対応可能で、かつ、高さ調節も可能とする床支持脚を提供する。【解決手段】基礎床に設置されるベース板１と、このベース板１に突設された支持ボルト２とからなる支持体３と、支持ボルト２に螺合して回転することによりベース板１に対して上下し、上床を受けるパネル受け４と、支持ボルト２の前記パネル受け４の下方に螺着されるナット体５とを備え、パネル受け４の上面は、前記上床が載置される載置面４ｂとされ、この載置面４ｂには、前記上床を固定する固定ビスが強制螺入される下孔４ｃが複数形成されている。【選択図】図１
2009287167.tif 000002
【特許請求の範囲】
【請求項１】
二重床の基礎床と上床との間に介在して、前記上床を前記基礎床に対して高さ調節可能に支持する床支持脚であって、
前記基礎床に設置されるベース板と、このベース板に突設された支持ボルトとからなる支持体と、前記支持ボルトに螺合して回転することにより前記ベース板に対して上下し、前記上床を受けるパネル受けと、前記支持ボルトの前記パネル受けの下方に螺着されるナット体とを備え、
前記パネル受けの上面は、前記上床が載置される載置面とされ、この載置面には、前記上床を固定する固定ビスが強制螺入される下孔が複数形成されていることを特徴とする床支持脚。
【請求項２】
複数の下孔は、載置面のほぼ全面に渡って形成されていることを特徴とする請求項１記載の床支持脚。
【請求項３】
パネル受けの載置面側の肉厚の高さ方向の中間に閉塞部があり、その上下が下孔となり得るようになっていることを特徴とする請求項１または２記載の床支持脚。
【請求項４】
二重床の基礎床に対して上床をパネル受けで高さ調節可能に支持する床支持脚と前記上床とを備えた二重床構造であって、
前記パネル受けの上面は、前記上床が載置される載置面とされ、この載置面には、前記上床を固定する固定ビスが強制螺入される下孔が複数形成され、前記上床の所望の位置に固定ビスを貫通させて、前記下孔を用いて前記上床が前記床支持脚に固定可能となっていることを特徴とする二重床構造。
【請求項５】
基礎床に対して床支持脚で支持される複数の上床が敷設された二重床の壁際構造であって、
前記上床は、前記床支持脚のパネル受けに載置される枠状の耐力リブ部を裏面側に備え、前記パネル受けの上面は、前記耐力リブ部が載置される載置面とされ、この載置面には前記上床を固定する固定ビスが強制螺入される下孔が複数形成され、
壁際に位置する上床の壁際側が切断され、該切断よる前記耐力リブ部の切断部分の近傍に固定ビスを貫通させて、前記下孔を用いて前記上床が前記床支持脚に固定されることを特徴とする二重床の壁際構造。
【発明の詳細な説明】
【技術分野】
【０００１】
本発明は、二重床の基礎床と上床との間に介在して、前記上床を前記基礎床に対して高さ調節可能に支持する床支持脚、この床支持脚と上床とを備えた二重床構造、及び、この二重床の壁際構造に関する。
【背景技術】
【０００２】
床支持脚は、特許文献１、２に示されるように、基本的に上床（複数の正方形形状のものが碁盤の目状に配置される。）の四角を基礎床に対して高さ調節可能に支持するものである。
【０００３】
しかし、壁際などで上床の長さを調節切断する必要のある場合には、前記特許文献１、２等の背景技術にあっては、同じ床支持脚は使われず、全く別の床材（ボーダー材、ボーダー部材）が用いられていた。
【０００４】
また、上記特許文献１、２においては、床支持脚が高さ調節可能であるのに、ボーダー材、ボーダー部材については、特に高さ調節可能である旨の記載がなく、必要な高さのものをその都度用意しなければならないものと思われた。
【特許文献１】特開平４−９３４５９号公報（第１図）
【特許文献２】特開平１１−２２９５９３号公報（図１〜図３）
【発明の開示】
【発明が解決しようとする課題】
【０００５】
本発明は、上記問題を解決しようとするものであり、同じ上床を用いながら、壁際などにも対応可能で、かつ、高さ調節も可能とする床支持脚、この床支持脚と上床とを備えた二重床構造、及び、この二重床の壁際構造を提供することを目的とする。
【課題を解決するための手段】
【０００６】
請求項１記載の床支持脚は、二重床の基礎床と上床との間に介在して、前記上床を前記基礎床に対して高さ調節可能に支持する床支持脚であって、
前記基礎床に設置されるベース板と、このベース板に突設された支持ボルトとからなる支持体と、前記支持ボルトに螺合して回転することにより前記ベース板に対して上下し、前記上床を受けるパネル受けと、前記支持ボルトの前記パネル受けの下方に螺着されるナット体とを備え、前記パネル受けの上面は、前記上床が載置される載置面とされ、この載置面には、前記上床を固定する固定ビスが強制螺入される下孔が複数形成されていることを特徴とする。
【０００７】
請求項２記載の床支持脚は、請求項１に従属し、複数の下孔は、載置面のほぼ全面に渡って形成されていることを特徴とする。
【０００８】
請求項３記載の床支持脚は、請求項１または２に従属し、パネル受けの載置面側の肉厚の高さ方向の中間に閉塞部があり、その上下が下孔となり得るようになっていることを特徴とする。
【０００９】
請求項４記載の二重床構造は、二重床の基礎床に対して上床をパネル受けで高さ調節可能に支持する床支持脚と前記上床とを備えた二重床構造であって、
前記パネル受けの上面は、前記上床が載置される載置面とされ、この載置面には、前記上床を固定する固定ビスが強制螺入される下孔が複数形成され、前記上床の所望の位置に固定ビスを貫通させて、前記下孔を用いて前記上床が前記床支持脚に固定可能となっていることを特徴とする。
【００１０】
請求項５記載の二重床の壁際構造は、基礎床に対して床支持脚で支持される複数の上床が敷設された二重床の壁際構造であって、前記上床は、前記床支持脚のパネル受けに載置される枠状の耐力リブ部を裏面側に備え、前記パネル受けの上面は、前記耐力リブ部が載置される載置面とされ、この載置面には前記上床を固定する固定ビスが強制螺入される下孔が複数形成され、
壁際に位置する上床の壁際側が切断され、該切断よる前記耐力リブ部の切断部分の近傍に固定ビスを貫通させて、前記下孔を用いて前記上床が前記床支持脚に固定されることを特徴とする。
【発明の効果】
【００１１】
請求項１記載の床支持脚によれば、二重床の基礎床と上床との間に介在して、前記上床を前記基礎床に対して高さ調節可能に支持する床支持脚であって、
前記基礎床に設置されるベース板と、このベース板に突設された支持ボルトとからなる支持体と、前記支持ボルトに螺合して回転することにより前記ベース板に対して上下し、前記上床を受けるパネル受けと、前記支持ボルトの前記パネル受けの下方に螺着されるナット体とを備え、前記パネル受けの上面は、前記上床が載置される載置面とされ、この載置面には、前記上床を固定する固定ビスが強制螺入される下孔が複数形成されているので、同じ上床を用いながら、壁際などにも対応可能で、かつ、高さ調節も可能となる。
【００１２】
請求項２記載の床支持脚によれば、請求項１の効果に加え、複数の下孔は、載置面のほぼ全面に渡って形成されているので、現場固定孔への対応がより確実になる。
【００１３】
請求項３記載の床支持脚によれば、請求項１または２の効果に加え、パネル受けの載置面側の肉厚の高さ方向の中間に閉塞部があり、その上下が下孔となり得るようになっているので、閉塞部で下孔が固定ネジが強制螺入される際の構造的強度が補強され、また、上下二面の載置面と下孔が双方とも使用できるようになる。
【００１４】
請求項４記載の二重床構造によれば、二重床の基礎床に対して上床をパネル受けで高さ調節可能に支持する床支持脚と前記上床とを備えた二重床構造であって、
前記パネル受けの上面は、前記上床が載置される載置面とされ、この載置面には、前記上床を固定する固定ビスが強制螺入される下孔が複数形成され、前記上床の所望の位置に固定ビスを貫通させて、前記下孔を用いて前記上床が前記床支持脚に固定可能となっており、請求項１記載の床支持脚と上床とを組み合わせたものであり、請求項１の効果を、二重床構造として発揮することができる。
【００１５】
請求項５記載の二重床の壁際構造は、基礎床に対して床支持脚で支持される複数の上床が敷設された二重床の壁際構造であって、前記上床は、前記床支持脚のパネル受けに載置される枠状の耐力リブ部を裏面側に備え、前記パネル受けの上面は、前記耐力リブ部が載置される載置面とされ、この載置面には前記上床を固定する固定ビスが強制螺入される下孔が複数形成され、
壁際に位置する上床の壁際側が切断され、該切断よる前記耐力リブ部の切断部分の近傍に固定ビスを貫通させて、前記下孔を用いて前記上床が前記床支持脚に固定されるので、請求項４の効果を、上床を壁際で切断して用いる際に、壁際構造として発揮することができる。
【発明を実施するための最良の形態】
【００１６】
以下に、本発明の実施の形態について、図面を用いて説明する。
【実施形態１】
【００１７】
図１は、本発明の床支持脚の一例を示すもので、（ａ）はその正面図、（ｂ）はその上面図、（ｃ）は（ｂ）のＡＡ断面図である。
【００１８】
この床支持脚１０は、二重床の基礎床と上床との間に介在して、前記上床を前記基礎床に対して高さ調節可能に支持するもので、前記基礎床に設置されるベース板１と、このベース板１に突設された支持ボルト２とからなる支持体３と、支持ボルト２に螺合して回転することによりベース板１に対して上下し、前記上床を受けるパネル受け４と、支持ボルト２のパネル受け４の下方に螺着されるナット体５とを備えている。
【００１９】
このような基本的構成を備えながら、この床支持脚１０は、パネル受け４の上面が、前記上床が載置される載置面４ｂとされ、この載置面４ｂには、前記上床を固定する固定ビスが強制螺入される下孔４ｃが複数形成されていることを特徴とする。
【００２０】
上記、基本的構成と特徴に加え、この図１で符号を付した範囲では、床支持脚１０のパネル受け４は、受け本体４ａ、共回り腕４ｅ、補助板止め４ｆ、基準位置表示段部４ｋ、及び、補助板４ｓを備えている。ナット体５は、市販のナット５ｇを備えている。
【００２１】
以下、床支持脚１０の各構成部品について、図２、３、４を用いて詳しく説明する。なお、これより、既に説明した部分については同じ符号を付して重複説明を省略する。
【００２２】
図２は、図１の床支持脚を構成するパネル受けを示すもので、（ａ）はその上面図、（ｂ）はその側面図、（ｃ）は（ａ）のＢＢ断面図、（ｄ）は（ａ）のＣＣ断面図、（ｅ）は、その裏面外観斜視図である。
【００２３】
この図２は、パネル受け４の内、図１で説明した補助板４ｓを除いた、受け本体４ａの構成を示すものであり、その基本形体は、四角形の箱体の開口側を下方とし、閉止側の上面が載置面４ｂとされ、この載置面４ｂの中央部分に段付きの筒状体が箱体の深さとほぼ同じ長さで下方に設けられているものである。
【００２４】
下孔４ｃは、この載置面４ｂの中央筒状体の設置部分を除き、ほぼ全面に渡って形成された下方となるほどより小径となる円錐台形状の孔であり、等間隔に縦横に多数配列されている。
【００２５】
この下孔４ｃは、上述したように、載置面４ｂに載せられた上床に開けられた現場固定孔に用いられる固定ビスの雄ねじ部分が強制的にねじ込まれるものであり、使用する固定ビスの大きさ（たとえば、Ｍ４かＭ５のタッピングネジか、木ネジとか）に対応した孔径と間隔で設けられているものである。
【００２６】
箱体の閉止側の載置面４ｂから裏面４ｇまでの肉厚は、固定ビスの雄ネジ部分の長さに対応した厚さとなっており、この厚さに渡って上方から、既述の下孔４ｃと、閉塞部４ｄと、裏面４ｇに開口する円孔である裏孔４ｈが設けられている。閉塞部４ｄと裏孔４ｈとは、それぞれの下孔４ｃにそれぞれ設けられている。
【００２７】
なお、固定ビスは、その雄ネジ部分が、裏孔４ｈから更に突き抜けるようなものであってもよい。
【００２８】
この載置部４ｂから裏面４ｇまでの厚さは、受け本体４ａの全高さの３分の１程度である。
【００２９】
共回り腕４ｅは、下方の開口側の各辺の中央部分に設けられた側方への突部４ｎから下方に所定長さだけ突出した薄片として形成されている。この共回り腕４ｅは、後述するように適度な力でナット体５をパネル受け４と共に支持ボルト２に螺合した状態で、共回転させると共に、必要な場合には、屈曲して、ナット体５だけをパネル受け４に対して相対的に回転可能とするものである。
【００３０】
補助板止め４ｆは、受け本体２ａの下方開口の一対の対辺に共回り腕４ｅを一定間隔を置いてはさむように設けられ、金属製の補助板４ｓを受け本体２ａの下方開口部分に着脱可能に止め固定するものである。
【００３１】
中央の筒状体４ｊは、内外に段付きのもので、内側の段付き孔４ｉの段部は、ベース板１からのパネル受け４ａの基準高さを示す基準位置表示段部４ｋとなっている。
【００３２】
筒状体４ｊの外側と、受け本体４ａの下方開口側４辺の内壁とは、４つの補強リブ４ｍで連結され、受け本体４ａと筒状体４ａとの構造的強度、つまり、パネル受け４ａの構造的強度を確保しながら、下方の開口部分（中実でない部分）を増やし、一体成形されるパネル受け４ａの素材の量を減らし、コスト節約を達成している。
【００３３】
そのようなパネル受け４ａの開口側の構造は、図４（ｆ）を見ればよく解る。パネル受け４ａは、アルミダイキャストで製造したものでもよく、合成樹脂（例えば、高密度ポリエチレン（ＨＤＰＥ）などが好適であるが、これに限定されず、成形性がよく、構造的強度と耐久性のあるものであればよい。）を素材として成形したものでもよい。
【００３４】
図３（ａ）は、図２のパネル受けに用いられる補助板を示す正面図、（ｂ）は、（ａ）の上半分断面の側面図、（ｃ）は図１の床支持脚を構成する支持体を示す正面図、（ｄ）は、（ｃ）の側面図である。
【００３５】
図３（ａ）、（ｂ）の補助板４ｓは、金属製の板（一般的には鋼板）であって、パネル受け４ａの下方開口に嵌め込められ、補助板止め４ｆでパネル受け４ａと一体化され、脱落しないようになっているものである。
【００３６】
その中央部分には、板厚と同程度の筒状突起４ｔが設けられ、この内側に、支持ボルト２の雄ネジ２ａに対応した雌ネジ部４ｕが設けられている。補助板４ｓの適所には複数の雌ネジ孔４ｖが設けられている。
【００３７】
図３（ｃ）、（ｄ）の支持板３は、二重床の基礎床に設置されるベース板１と、このベース板１の中央部より突設された支持ボルト２とを備えている。
【００３８】
ベース板１は、金属製（一般的には鋼製）の平板状のもので、その平板周縁近傍に、基礎床上に設置された際に、このベース板１を基礎床へ設置固定するための固定用孔１ａが設けられている。ベース板１の素材は、鋼鉄が好適であるが、支持ボルト２と一体化して、支持ボルト２に作用する種々の外力に耐えるものであれば、その素材は限定されない。
【００３９】
ベース板１の外側から中心側には補強リブ１ｂが形成され、中央の支持ボルト２の首下まで達していて、立設された支持ボルト２の立位保持強度を増加させている。
【００４０】
支持ボルト２は、その名称から察せられる通り、その外周に雄ネジ２ａが形成された棒状のものであり、ベース板１の平面方向の中心に立てられ、ベース板１と強固に一体化されている。支持ボルト２の素材は、鋼鉄が好適である。
【００４１】
図４は、図１の床支持脚を構成するナット体を示すもので、（ａ）はその上面図、（ｂ）はその側面図、（ｃ）はその裏面図、（ｄ）はその縦断面図である。
【００４２】
このナット体５は、支持板３の支持ボルト２の上記パネル受け４の下方、つまり、パネル受け４と支持板３のベース板１との間に螺合し、回転操作が可能なものである。
【００４３】
ナット体５は、全体として長方形板状の平面部５ａの外縁四辺から平面部５ａに直交する方向にリブ５ｂが伸び出した形状をしている。
【００４４】
この平面部５ａの中央部分のリブ５ｂ伸び出し側に、市販のナット５ｇを着脱可能に収容するナット収容部５ｃが設けられている。この市販のナット５ｇは、支持板３の支持ボルト２に螺合するものである。
【００４５】
ナット収容部５ｃの深さは、ここに収容するナットの厚さに対応させて、収容状態でナットが突出しない程度であればよく、リブ５ｂの伸び出し長さは、このナット収容部５ｃの伸び出し長さ程度か、より短いものであればよい。
【００４６】
ナット収容部５ｃの平面部５ａ側には、収容したナット５ｇに螺合する支持板３の支持ボルト２の通過を許容し、かつ、パネル受け４の筒状突起４ｔを収容可能な内径の逃がし孔５ｄが設けられている。
【００４７】
従って、図４（ｄ）に二点鎖線の想像線で示すように、支持ボルト２にナット収容部５ｃに収容されたナット５ｇと、パネル受け４の補助板４ｓの筒状突起４ｔとが接触可能であり、金属同士で通常のダブルナットと同様の固定締付機能を発揮することができる。
【００４８】
平面部５ａの長辺の短辺側近傍には、ナット体５を支持ボルト２への螺合状態で回転操作するための操作用凹部５ｅが設けられている。
【００４９】
平面部５ａの短辺方向（幅方向）の中央部分には、ナット収容部５ｃを中心として対向するように一対の共回り孔５ｆが設けられている。共回り孔５ｆは、共回り腕４ｅが入り込むためのもので、平面部５ａの長辺方向に長孔とされ、パネル受け４の共回り腕４ｅの支持ボルト２からの距離が異なる場合にも対応できるものである。
【００５０】
平面部５ａの長辺側の長さは、後述するように、このナット体５の上方にパネル受け４がある状態で、別の工具を使うことなく人手で、ナット体５の回転操作を可能とする操作用凹部５ｅを設けるという観点から決められる。
【００５１】
ナット体５は、合成樹脂（例えば、高密度ポリエチレン（ＨＤＰＥ））で一体成形をしたものが好適であるがこれに限定されない。ナット体５は、特開平７−０４８９２０号公報に記載されたもののように鋼板から板金加工で製造されたものであってもよい。
【００５２】
図５は、図１の床支持脚で支持される上床の一例を示すもので、（ａ）はその裏面図、（ｂ）は（ａ）のＤＤ断面図、（ｃ）はその裏面側の外観斜視図である。
【００５３】
この上床１１は、 正方形状の板状体であって、図５（ａ）の反対側が上側、つまり、表側として用いられる平面状の表面部１１ｇであって、図５（ａ）に示す裏面側には、周囲に薄肉短幅のツバ部１１ａを備え、その内側はより肉厚の耐力リブ部１１ｂとなっている。
【００５４】
四角枠形状の耐力リブ部１１ｂの四角には、この上床１１を床支持脚に固定するための固定孔１１ｆが設けられている。
【００５５】
この耐力リブ部１１ｂのさらに内側がこの耐力リブ部１１ｂよりは薄肉の主裏面部１１ｃとなり、この主裏面部１１ｃが残る裏面側全体を覆っている。この主裏面部１１ｃには、半円球状の軽量化凹部１１ｄが全体に渡って均等間隔で多数配置されている。
【００５６】
上床１１の上記のような表面部１１ｇと、裏面側の１１ａ〜１１ｄの表面部分は、薄肉鋼板を板金加工して製造されたもので、この表面部１１ｇと裏面側との間には、発泡軽量コンクリート材１１ｅが充填されている。
【００５７】
この上床１１は、基礎床の上に、本発明の後述する支持脚によって基本的にはその四角が高さ調節可能に支持され、縦横に碁盤の目のように配置されて、基礎床の全面を覆うようにして用いられるものである。
【００５８】
この際、上述のような形状は、ツバ部１１ａと耐力リブ部１１ｂの四角が、床支持脚に載置され、固定孔１１ｆで床支持脚に固定され、一方、上床１１に負荷される荷重については、耐力リブ部１１ｂとその内側の多数の軽量化凹部１１ｄを備えた主裏面部１１ｃとにより、軽量化を図りながら、十分な強度を維持している。
【００５９】
一方、この上床１１を部屋全体の床面を覆うように敷き詰める場合、壁際では、上床１１の長さを調節切断しなければならない場合があり、その際に、本発明の床支持脚１０が有効に機能する。以下のその使用方法について説明する。
【００６０】
図６（ａ）は、図１の床支持脚の外観斜視図、（ｂ）は、この床支持脚の使用態様を示す断面図、（ｃ）は（ｂ）の要部拡大図である。
【００６１】
まず、壁ＷＬの壁際の基礎床Ｚ上に支持体３を設置し、ナット５ｇをはめ込んだナット体５を支持ボルト２に螺合させて一定量回転させる。ついで、パネル受け４の補助板４ｓの筒状突起４ｔ側を下にして支持ボルトに螺合させて一定量回転させ、筒状突起４ｔの端面がナット体５のナット５ｇに近接するが、接触しない程度とする。
【００６２】
この状態の補助板４ｓにパネル受け４の受け本体４ａを被せ、共回り腕４ｅがナット体５の共回り孔５ｆに入り込んだ状態で、補助板止め４ｆで補助板４ｓを受け本体４ａに固定する。この状態が、図６（ａ）に示されたものである。
【００６３】
この状態で、パネル受け４を回転させると、ナット体５も、共回り腕４ｅと共回り孔５ｆとの係合により、共回転し、まず、パネル受け４の基準位置表示段部４ｋに支持ボルト２の上端面が来るようにする。その状態の床支持脚１０の断面が、図１（ｃ）に示されたものである。
【００６４】
なお、本発明の床支持脚１０は、通常、この図１（ｃ）に示されたセット状態で販売され、その際、パネル受け４の基準位置表示段部４ｋは、パネル受け４が基礎床Ｚからの基準高さ位置となるように設定されており、販売のための組み立ての目安ともなるもので、組み立て作業の間違いが少なくなる。
【００６５】
また、この際、図１（ｂ）からも解るように、支持体３のベース板１の取付固定孔１ａは、パネル受け４を組み込んだ状態でも上方に作業スペースがあり、この床支持脚１０は、このセットの状態のままで、基礎床Ｚへの固定作業が可能である。
【００６６】
その後、パネル受け４とナット体５とを共回りさせながら、現場で正確な高さになるように載置面４ｂの高さを設定したら、パネル受け４は回転しないように固定しておいて、ナット体５だけを手作業でパネル受け４に近づくように回転させると、ナット体５のナット５ｇとパネル受け４の筒状突起４ｔとが接触して、ダブルナット状態となり、パネル受け４の回転が強固に固定締め付けられる。この状態は、図４（ｄ）に想像線で示したものである。
【００６７】
つぎに、この場合は、壁際で、上床１１は一定部分で切断された状態であり、本来の固定孔１１ｆは使えず、切断部分の近傍で適宜、現場固定孔ＫＨが開けられる。
【００６８】
その際、本発明の床支持脚１０では、そのパネル受け４の載置面４ｂが一定の広さの平面を確保し、この載置面４ｂ上に複数の下孔４ｃが設けられているので、壁際の耐力リブ部１１ｂに開けられた現場固定孔ＫＨに固定ビスＫＢを入れて、単に、ネジ締めしていくだけで、図６（ｃ）に示すように、固定ビスＫＢの先端の雄ネジ部分が適宜下孔４ｃに入り込んで、上床１１を床支持脚１０に固定することができる。
【００６９】
この際、載置面４ｂの肉厚の中間位置に設けられた閉塞部４ｄは、強制螺入される固定ビスＫＨの雄ネジ部分が、当初入り込んだ下孔４ｂの回りの下孔４ｂまで食い込むのを阻止する補強的作用もしており、これにより、固定ビスＫＨが一つの下孔４ｂだけとネジ螺合して、しっかり、上床１１を固定することができる。
【００７０】
つまり、本発明の床支持脚１０によれば、同じ上床１１を用いながら、現場固定孔ＫＨに対応可能なので、壁際などにも対応可能で、かつ、高さ調節も可能とすることができる。
【００７１】
また、このような床支持脚１０と、上床１１とを組み合わせた二重床構造は、上記、床支持脚１０の効果を二重床構造として発揮することができる。
【００７２】
なお、図６（ｂ）に示すように、基礎床Ｚと上床１１とを併せて二重床ＷＴと称する。
【００７３】
また、図６（ｃ）の二重床ＷＴの構成は、基礎床Ｚに対して床支持脚１０で支持される複数の上床１１が敷設された二重床の壁際構造であって、上床１１は、床支持脚１０のパネル受け４に載置される枠状の耐力リブ部１１ｂを裏面側に備え、パネル受け４の上面は、耐力リブ部１１ｂが載置される載置面４ｂとされ、この載置面４ｂには上床１１を固定する固定ビスＫＨが強制螺入される下孔４ｃが複数形成され、
壁際に位置する上床１１の壁際側が切断され、該切断よる耐力リブ部１１ｂの切断部分の近傍に固定ビスＫＨを貫通させて、下孔４ｃを用いて上床１１が床支持脚１０に固定されるという二重床の壁際構造２０と把握することもできる。
【００７４】
この二重床の壁際構造２０は、上記構成から明確なように、本発明の床支持脚１０、基礎床Ｚ、上床１１の効果を相乗的に発揮する。  
【００７５】
また、この例では、上床１１が壁際で切断される場合を説明したが、これに限定されず、現場の必要に応じて、上床１１に本来設けられている固定孔１１ｆを使う場合でも、また、この固定孔１１ｆ以外の位置で上床を固定する場合にも、本発明の床支持脚１０は適用可能なものである。
【実施形態２】
【００７６】
図７は、本発明の床支持脚の他例を示すもので、（ａ）はその上面図、（ｂ）はその側面図、（ｃ）はその外観斜視図、（ｄ）はその使用態様を示す図である。
【００７７】
この床支持脚１０Ａは、図１の床支持脚１０に比べ、その構成部品であるパネル受け４Ａの受け本体４ａ′だけが異なっている。
【００７８】
この受け本体４ａ′は、図２の受け本体４ａに比べ、載置面４ｂ′が十字状の突起の上面とされ、この載置面４ｂ′の幅中心に十字の基準線４ｏが設けられ、載置面４ｂ′の突起以外の部分が、上床１１の耐力リブ部１１ｂを受けるリブ受け部４ｐとなっており、このリブ受け部４ｐに固定用孔４ｑが設けられている点が異なっている。
【００７９】
このような構成の床支持脚１０Ａは、図７（ｄ）に示すような形で、特に、上床１１を碁盤目状に配置した際の四角を支持する際に好適なものであり、その際、上述した床支持脚１０の載置面４ｂと下孔４ｃとを除いては、同様の作用効果を発揮するものである。
【００８０】
なお、このパネル受け４Ａの場合、上床１１の固定は、固定ビスを固定用孔４ｑを貫通させて、補助板４ａの雌ネジ孔４ｖに螺合させて行う。。
【００８１】
なお、この床支持脚１０Ａは、図１の床支持脚１０のように、上床１１を切断して壁際などに支持する場合には好適ではないが、逆に、図１の床支持脚１０は、その載置面４ｂに、上床１１の耐力リブ部１１ｂの四角を載せ、既設の固定孔１１ｆを用いて、上床１１を高さ調節可能に固定することができるものである。
【実施形態３】
【００８２】
図８（ａ）〜（ｅ）は、本発明の床支持脚の他例を示す図である。
【００８３】
図８（ａ）の床支持脚１０Ｂは、図１の床支持脚１０に比べ、そのパネル受け４Ｂの受け本体４ａ′′が、上床１１の半円球状の軽量化凹部１１ｄに対応した半円球状の載置面４ｒを備えている点が異なっている。下孔４ｃは同様のものが多数配置されている。
【００８４】
このような構成の床支持脚１０Ｂによれば、図１の床支持脚１０と同様の効果を発揮すると同時に、半円球状同士の軽量化凹部１１ｄと載置面４ｒとがちょうど嵌まり合うので、床支持脚１０Ｂが上床１１に対して床面方向にずれにくくなる。
【００８５】
図８（ｂ） の床支持脚１０Ｃは、図１の床支持脚１０に比べ、そのパネル受け４Ｃの載置面４ｂに設けられた下孔４ｃ′が、円孔ではなく、細長孔である点が異なっている。
【００８６】
このような下孔４ｃ′を備えた構成の床支持脚１０Ｃによれば、図１の床支持脚１０と同様の効果を発揮することができる。
【００８７】
図８（ｃ） の床支持脚１０Ｄは、図１の床支持脚１０に比べ、そのパネル受け４Ｄの載置面４ｂに設けられた下孔４ｃ′′が、円孔ではなく、全体として、載置面４ｂの全体形状である正方形状の長孔形状となっている点が異なっている。
【００８８】
このような下孔４ｃ′′を備えた構成の床支持脚１０Ｄによれば、図１の床支持脚１０と同様の効果を発揮することができる。
【００８９】
図８（ｄ） の床支持脚１０Ｅは、図１の床支持脚１０に比べ、そのパネル受け４Ｅの載置面４ｂに設けられた下孔４ｃａが、円孔ではなく、四角孔形状で、その立体的形状が四角錐となるようなものとなっている点と、載置面４ｂでは、下孔４ｃａ 同士が隙間なく密に隣接して設けられている点が異なっている。
【００９０】
このような下孔４ｃａを備えた構成の床支持脚１０Ｅによれば、図１の床支持脚１０と同様の効果を発揮することができ、加えて、この場合は、下孔４ｃａが密に設けられているので、現場固定孔への対応がより容易となる。
【００９１】
図８（ｅ） の床支持脚１０Ｆは、図１の床支持脚１０に比べ、そのパネル受け４Ｆの載置面４ｂａ、４ｇａが上下対象となるように構成され、これらの載置面４ｂａ、４ｇａのそれぞれに同じ下孔４ｃｂが複数設けられている点が異なっている。
【００９２】
つまり、この床支持脚１０Ｆでは、複数の下孔４ｃｂはパネル受けの高さ方向の中間に閉塞部４ｄａがあり、その上下が下孔となり得るようになっていて、一方の載置面４ｂａと他方の載置面４ｇａの双方をひっくり返して用いることができるようになっている。
【００９３】
基準位置表示段部４ｋも、このような載置面４ｂａ、４ｇａの構成に伴い、上下に対象に設けられている。
【００９４】
このような載置面４ｂａ、４ｇａと、下孔４ｃｂを備えた構成の床支持脚１０Ｆによれば、図１の床支持脚１０と同様の効果を発揮することができる。
【００９５】
なお、上述の床支持脚１０Ａ〜１０Ｆの効果は、これらと組み合わせた二重床構造においては、その効果を二重床構造として発揮することができる。
【００９６】
また、下孔４ｃは、図１の床支持脚１０のように、パネル受け４の載置面４ｂの全面に渡って多数設けてもよいが、図８（ｂ）、（ｃ）の床支持脚１０Ｃ、１０Ｄのように長孔とする場合には、少なくとも複数、つまり、２以上あればよく、加えて、長孔全体を連折りのごとく連続させれば、一つの長孔だけで載置面全体に行き渡らせることもできる。
【００９７】
なお、本発明の床支持脚は、上記の実施例に限定されず、特許請求の範囲に記載された範囲、実施形態の範囲で、種々の変形例、組み合わせが可能であり、本発明の技術的範囲には、これらの変形例、組み合わせも含まれるものである。
【産業上の利用可能性】
【００９８】
本発明の床支持脚、及び、二重床構造は、同じ上床を用いながら、壁際などにも対応可能で、かつ、高さ調節も可能とすることが要請される産業上の分野に用いることができる。
【図面の簡単な説明】
【００９９】
【図１】本発明の床支持脚の一例を示すもので、（ａ）はその正面図、（ｂ）はその上面図、（ｃ）は（ｂ）のＡＡ断面図
【図２】図１の床支持脚を構成するパネル受けを示すもので、（ａ）はその上面図、（ｂ）はその側面図、（ｃ）は（ａ）のＢＢ断面図、（ｄ）は（ａ）のＣＣ断面図、（ｅ）は、その裏面外観斜視図
【図３】（ａ）は、図２のパネル受けに用いられる補助板を示す正面図、（ｂ）は、（ａ）の上半分断面の側面図、（ｃ）は図１の床支持脚を構成する支持体を示す正面図、（ｄ）は、（ｃ）の側面図
【図４】図１の床支持脚を構成するナット体を示すもので、（ａ）はその上面図、（ｂ）はその側面図、（ｃ）はその裏面図、（ｄ）はその縦断面図
【図５】図１の床支持脚で支持される上床の一例を示すもので、（ａ）はその裏面図、（ｂ）は（ａ）のＤＤ断面図、（ｃ）はその裏面側の外観斜視図
【図６】（ａ）は、図１の床支持脚の外観斜視図、（ｂ）は、この床支持脚の使用態様を示す断面図、（ｃ）は（ｂ）の要部拡大図
【図７】本発明の床支持脚の他例を示すもので、（ａ）はその上面図、（ｂ）はその側面図、（ｃ）はその外観斜視図、（ｄ）はその使用態様を示す図
【図８】（ａ）〜（ｅ）は、本発明の床支持脚の他例を示す図
【符号の説明】
【０１００】
１        ベース板
２        支持ボルト
３        支持体
４〜４Ｆ        パネル受け
４ｂ、４ｂ′、４ｂｒ      載置面
４ｃ、４ｃ′、４ｃ′′、４ｃａ、４ｃｂ    下孔
４ｄ、４ｄａ      閉塞部
４ｅ      共回り腕
４ｆ      補助板止め
４ｋ      基準位置表示段部
４ｓ      補助板
５        ナット体
５ｄ      共回り孔      
５ｇ      ナット
１０〜１０Ｆ        床支持脚
１１        上床
１１ｂ
２０        二重床構造（二重床の壁際構造）
２０Ａ      二重床構造
ＫＢ      固定ビス
ＫＨ      現場固定孔
ＷＬ      壁
ＷＴ      二重床
Ｚ        基礎床
【図１】
2009287167.tif 000003
【図２】
2009287167.tif 000004
【図３】
2009287167.tif 000005
【図４】
2009287167.tif 000006
【図５】
2009287167.tif 000007
【図６】
2009287167.tif 000008
【図７】
2009287167.tif 000009
【図８】
2009287167.tif 000010